(57)【要約】  イヤホンが着用者の耳から脱落するのを防止し、かつ、イヤホンからより良い音質を提供するように、一対のイヤホン（１８）を覆って個人の頭部に着用されるイヤホンスタビライザ（１）。イヤホンスタビライザは、イヤカバー上に配置されたメッシュカバー（８）を各々が有するイヤカバー（７Ａ、７Ｂ）を含む、略Ｃ字形バンド（２）を備える。Ｃ字形バンドは、イヤカバーを互いに向かって押圧する弾性材料から構成されることが好ましく、それによってユーザの耳に内圧を与える。メッシュカバーは、活動している間のユーザの耳内の空気循環を可能にし、それによってユーザの耳に汗が集まるのを防止する。【選択図】図４
2020527869.tif 000002
【特許請求の範囲】
【請求項１】
イヤホンスタビライザであって、
内面と、外面と、右側端部と、左側端部と、を有する略Ｃ字形バンドと、
前記右側端部から延在している右側イヤカバーであって、開口部を規定する湾曲フレームを含み、前記開口部にわたって前記湾曲フレームから延在している単層の露出したメッシュカバーを有して、前記単層の露出したメッシュカバーを通過するスムーズな気流を可能にする、右側イヤカバーと、
前記左側端部から延在している左側イヤカバーであって、開口部を規定する湾曲フレームを含み、前記開口部にわたって前記湾曲フレームから延在している単層の露出したメッシュカバーを有して、前記単層の露出したメッシュカバーを通過するスムーズな気流を可能にする、左側イヤカバーと、を備えるイヤホンスタビライザ。
【請求項２】
前記Ｃ字形バンドは、前記右側イヤカバー及び前記左側イヤカバーを押圧する弾性材料から構成されている、請求項１に記載のイヤホンスタビライザ。
【請求項３】
前記右側イヤカバーの前記湾曲フレームは閉じたフレームであり、
前記左側イヤカバーの前記湾曲フレームは閉じたフレームである、請求項１に記載のイヤホンスタビライザ。
【請求項４】
前記右側イヤカバーの前記湾曲フレームは開いたフレームであり、
前記左側イヤカバーの前記湾曲フレームは開いたフレームである、請求項１に記載のイヤホンスタビライザ。
【請求項５】
前記右側イヤカバーの前記メッシュカバーは平面であり、
前記左側イヤカバーの前記メッシュカバーは平面である、請求項１に記載のイヤホンスタビライザ。
【請求項６】
前記右側イヤカバーの前記メッシュカバーは凸状の内部面を有し、
前記左側イヤカバーの前記メッシュカバーは凸状の内部面を有する、請求項１に記載のイヤホンスタビライザ。
【請求項７】
前記Ｃ字形バンドは、摺動カップリングによって接続されている右側部分と左側部分とを備える、請求項１に記載のイヤホンスタビライザ。
【請求項８】
前記右側イヤカバー及び前記左側イヤカバーは、旋回カップリングを介して前記Ｃ字形バンドに取り付けられている、請求項１に記載のイヤホンスタビライザ。
【請求項９】
イヤホンスタビライザであって、
内面と、外面と、右側端部と、左側端部と、を有する略Ｃ字形バンドと、
前記右側端部から延在している右側イヤカバーであって、開口部を規定する湾曲フレームを含み、前記開口部にわたって前記湾曲フレームから延在している単層の露出したメッシュカバーを有して、前記単層の露出したメッシュカバーを通過するスムーズな気流を可能にする、右側イヤカバーと、
前記左側端部から延在している左側イヤカバーであって、開口部を規定する湾曲フレームを含み、前記開口部にわたって前記湾曲フレームから延在している単層の露出したメッシュカバーを有して、前記単層の露出したメッシュカバーを通過するスムーズな気流を可能にする、左側イヤカバーと、を備え、
前記Ｃ字形バンドが、摺動カップリングによって接続されている右側部分と左側部分とを含む、イヤホンスタビライザ。
【請求項１０】
前記Ｃ字形バンドは、前記右側イヤカバー及び前記左側イヤカバーを互いに向かって押圧する弾性材料から構成されている、請求項９に記載のイヤホンスタビライザ。
【請求項１１】
前記右側イヤカバーの前記湾曲フレームは閉じたフレームであり、
前記左側イヤカバーの前記湾曲フレームは閉じたフレームである、請求項９に記載のイヤホンスタビライザ。
【請求項１２】
前記右側イヤカバーの前記湾曲フレームは開いたフレームであり、
前記左側イヤカバーの前記湾曲フレームは開いたフレームである、請求項９に記載のイヤホンスタビライザ。
【請求項１３】
前記右側イヤカバーの前記メッシュカバーは平面であり、
前記左側イヤカバーの前記メッシュカバーは平面である、請求項９に記載のイヤホンスタビライザ。
【請求項１４】
前記右側イヤカバーの前記メッシュカバーは凸状の内部面を有し、
前記左側イヤカバーの前記メッシュカバーは凸状の内部面を有する、請求項９に記載のイヤホンスタビライザ。
【請求項１５】
前記右側イヤカバー及び前記左側イヤカバーは、旋回カップリングを介して前記Ｃ字形バンドに取り付けられている、請求項９に記載のイヤホンスタビライザ。
【請求項１６】
イヤホンスタビライザを使用して個人の耳の中に一対のイヤホンを安定させるための方法であって、前記イヤホンスタビライザは、内面と、外面と、右側端部と、左側端部と、を有する略Ｃ字形バンドと、前記右側端部から延在している右側イヤカバーであって、開口部を規定する湾曲フレームを含み、前記開口部にわたって前記湾曲フレームから延在している単層の露出したメッシュカバーを有して、前記単層の露出したメッシュカバーを通過するスムーズな気流を可能にする、右側イヤカバーと、前記左側端部から延在している左側イヤカバーであって、開口部を規定する湾曲フレームを含み、前記開口部にわたって前記湾曲フレームから延在している単層の露出したメッシュカバーを有して、前記単層の露出したメッシュカバーを通過するスムーズな気流を可能にする、左側イヤカバーと、を備え、前記方法は、
ａ．一組のイヤホンを個人の耳の中に挿入することと、
ｂ．前記イヤホンスタビライザを、静止位置から開放位置へと外向きに引き伸ばすことと、
ｃ．前記右側イヤカバー及び前記左側イヤカバーの前記メッシュカバーを、前記イヤホンと前記個人の耳とを覆って配置することと、
ｄ．前記Ｃ字形バンドが前記イヤホンに内圧を与えるように前記Ｃ字形バンドをリリースし、それによって前記イヤホンが前記ユーザの耳から脱落するのを防止することと、を含む方法。
【発明の詳細な説明】
【技術分野】
【０００１】
本発明は、音楽及び他の音声を聴くために着用されるイヤホンに関し、より詳細には、個人の頭部に着用されて、イヤホンが着用者の耳から脱落するのを防止し、かつ、イヤホンからより良好な音質を提供する、スタビライザに関する。
【背景技術】
【０００２】
イヤホンは、外耳道に面している外耳内に直接はめ込む小さなヘッドホンである。イヤホンは持ち運びができて便利であるが、多くの人は、イヤホンが不快であって脱落しやすいと考えている。これは、イヤホンが耳の中で静止していて、イヤホンを着用者の耳内に保持するための内圧がかかっていないからであり、それゆえ、特に着用者が発汗している場合、運動中及び他の活動中にイヤホンが脱落してしまう。イヤホンが脱落するたびに、個人は、自分の活動を停止し、イヤホンを再挿入しなければならない。これはまた、緩んだイヤホンが、トレーニングマシンに巻き込まれたり、活動中に個人の周囲の他の物に引っ掛かったりする可能性があるため、危険にもなり得る。
【０００３】
さらに、イヤホンは、遮音性をほとんど提供せず、周囲のノイズが入り込む余地を残している。この課題は、イヤホンが耳の中で静止し、かつ、イヤホンと着用者の外耳道との間に一定のシールを形成する、イヤホンを着用者の耳内に保持するように加えられている内圧がないという事実にも起因している。この課題を克服するため、ユーザは、音量を危険なほどに大きくして補償することがあるため、明らかに聴覚障害をもたらし得る。
【０００４】
それゆえ、個人の頭部に着用されて、イヤホンが着用者の耳から脱落するのを防止し、かつ、イヤホンからより良い音質を提供する、スタビライザが必要とされている。
【０００５】
関連する先行技術には、以下の参考文献が含まれる。
【先行技術文献】
【特許文献】
【０００６】
【表１】
2020527869.tif 000003
【発明の概要】
【０００７】
本発明の主な目的は、一対のイヤホンを覆って個人の頭部に着用されるスタビライザを提供して、イヤホンが着用者の耳から脱落するのを防止することである。
【０００８】
本発明のさらなる目的は、一対のイヤホンを覆って個人の頭部に着用されるスタビライザを提供して、イヤホンからより良い音質を提供することである。
【０００９】
本発明のさらなる目的は、一対のイヤホンを覆って個人の頭部に着用される、着け心地が快適なスタビライザを提供することである。
【００１０】
本発明のさらなる目的は、一対のイヤホンを覆って個人の頭部に着用される、耳に空気循環を提供するスタビライザを提供して、製品の気流及び換気を介して汗の蓄積を防止することである。
【課題を解決するための手段】
【００１１】
本発明は、内面、外面、右側端部、及び左側端部を有する、略Ｃ字形バンドを含むイヤホンスタビライザを提供することによって、上記及び他の目的を達成する。イヤカバーはそれぞれ、Ｃ字形バンドの右側端部及び左側端部から延在している。各イヤカバーは、湾曲フレームによって規定される開口部にわたって引き伸ばされている、メッシュカバー又は類似の織布若しくはネット材料で覆われている。カバーは、快適さのため、耳に適合するしなやかな材料であることが好ましい。Ｃ字形バンドは、イヤカバーを互いに向かって押圧する弾性材料から構成されることが好ましく、それによってユーザの耳に内圧を与える。
【００１２】
本発明のイヤホンスタビライザを使用するため、ユーザは、自分の耳の中に一対のイヤホンを配置及び／又は挿入する。次いで、ユーザは、イヤカバーを引き離し、自分の耳とイヤホンとを覆ってイヤカバーを配置する。そうして、Ｃ字形バンドの弾性材料がイヤホンに内圧を与え、それによってイヤホンがユーザの耳から脱落するのを防止し、かつ、イヤホンとユーザの外耳道との間にシールを形成して、周囲のノイズがイヤホンによって発せられている音と干渉するのを防止する。
【００１３】
メッシュカバーは、活動している間のユーザの耳に空気循環を可能にし、それによってユーザの耳に汗が集まるのを防止する。空気循環を提供することにより、メッシュカバーは、ユーザの耳から熱が逃げることを可能にする。これは、ユーザの耳を暖かく保つために使用される従来の「イヤマフ」スタイルのイヤウォーマーとは対照的である。耳に暖かさを提供すること、個人の耳を暖かく保つこと、又は構成要素から個人の耳を保護することは、本発明の目的ではない。
【００１４】
メッシュカバーは、静止位置にあるときに平坦又は平面になるように、湾曲フレームにわたって引き伸ばされてもよい。あるいは、メッシュ材料は、メッシュの内部面が耳の中に押し込まれ、それによってイヤホンをユーザの耳内にさらに固定することができるように、凸状の内部面を有してもよく、又は内部面中央にスペーサが配置されている内部面を有してもよい。
【００１５】
本発明のさらなる特徴では、右側部分が左側部分に摺動可能に結合されている２つの部位を有する、サイズが調整可能なＣ字形バンドを含んでもよい。加えて、イヤカバーは、Ｃ字形バンドに旋回可能に結合されて、個々のユーザの耳及び頭部に対する調整を可能にしてもよい。あるいは、Ｃ字形バンドとイヤカバーの湾曲フレームとが、単一のモノリシックフレームに一体化されてもよい。
【００１６】
さらに、メッシュカバーは、ロゴなどのデザインを印刷することができる面を備えてもよい。
【００１７】
本発明の上記及び他の目的、特徴及び利点は、本発明の例示的な実施形態が示され、かつ、説明されている図面と共に以下の詳細な説明を読むと、当業者にはさらに一層容易に明らかになるであろう。
【００１８】
以下の詳細な説明では、下記である添付の図面を参照する。
【図面の簡単な説明】
【００１９】
【図１】本発明のイヤホンスタビライザの左側斜視図である。
【図２】本発明のイヤホンスタビライザの右側斜視図である。
【図３】一対のイヤホン上で静止位置から開放位置へと外向きに引き伸ばされている、本発明のイヤホンスタビライザの展開平面図である。
【図４】使用中の本発明のイヤホンスタビライザの側面図である。
【発明を実施するための形態】
【００２０】
図１及び図２を参照すると、本発明のイヤホンスタビライザ１の左側斜視図及び右側斜視図がそれぞれ示されている。本発明のイヤホンスタビライザ１は、内面３、外面４、右側端部５、及び左側端部６を有する略Ｃ字形バンド２を備える。Ｃ字形バンド２の右側端部５及び左側端部６からは、右側イヤカバー７Ａ及び左側イヤカバー７Ｂが、それぞれ延在している。イヤカバー７Ａ及び７Ｂの各々は、湾曲フレーム１０によって規定される開口部９にわたって引き伸ばされているメッシュカバー８、又は類似の織布材料、ネット材料などで覆われている。イヤカバー７Ａ及び７Ｂの各々は、外面１１及び内面１２を備える。内面１２は、イヤホンスタビライザ１が着用されているときに、ユーザの頭部及び／又は耳を圧迫する面である。メッシュカバー８は、静止位置にあるときにメッシュカバー８が平坦又は平面になるように、湾曲フレーム１０にわたって引き伸ばされていてもよい。湾曲フレーム１０は、開いたフレーム、又は閉じた円形若しくは楕円形のフレームを備えてもよい。あるいは、メッシュカバー８はそれぞれ、メッシュカバー８の内部面１３がユーザの耳の中に押し込まれ、それによってイヤホンをユーザの耳内にさらに固定することができるように、凸状の内部面１３を有してもよく、又は内部面中央にスペーサが配置されている内部面１３を有してもよい。
【００２１】
メッシュカバー８は、湾曲フレーム１０の内周からメッシュカバーを広げることによって（従って、メッシュカバー８は、湾曲フレーム１０の内面１２と完全に同一平面上になる）、湾曲フレーム１０の中心線からメッシュカバーを広げることによって（従って、メッシュカバー８は、湾曲フレーム１０の内面１２と外面１１との間に位置する）、又は湾曲フレーム１０の外周からメッシュカバーを広げることによって（従って、メッシュカバー８は、湾曲フレーム１０の外面１１と完全に同一平面上になる）、湾曲フレーム１０によって規定される開口部９にわたって引き伸ばされてもよい。さらに、湾曲フレーム１０は、メッシュカバー８が頂点部から延在するように、略三角形の形状であってもよい。
【００２２】
Ｃ字形バンド２は、イヤカバー７Ａ及び７Ｂの内面１２を互いに向かって押圧する弾性材料から構成されることが好ましく、それによって図４に示すように、イヤホンスタビライザ１をユーザの頭部上に保持し、ユーザの耳とイヤホンとに内圧を与える。加えて、Ｃ字形バンド２は、摺動カップリング１６を介して右部分１４が左部分１５に取り付けられている２つの部位を有してもよい。さらに、イヤカバー７Ａ及び７Ｂは、個々のユーザの耳及び頭部に対する調整を可能にするために、旋回カップリング１７を介してＣ字形バンド２に取り付けられてもよい。あるいは、Ｃ字形バンド２と、イヤカバー７Ａ及び７Ｂの湾曲フレーム１０とが、単一のモノリシックフレームに一体化されてもよい。
【００２３】
図３及び図４を参照すると、一対のイヤホン１８上で静止位置から開放位置へと外向きに引き伸ばされている本発明のイヤホンスタビライザ１の展開平面図、及び使用中の本発明のイヤホンスタビライザ１の側面図が、それぞれ示されている。本発明のイヤホンスタビライザ１を使用するため、ユーザは、一対のイヤホン１８を自分の耳の中に配置及び／又は挿入する。次いで、ユーザは、図３に示すように、イヤカバー７を引き離し、自分の耳及びイヤホン１８を覆ってイヤカバー７を配置する。Ｃ字形バンド２の弾性材料は、イヤホン１８に内圧を与え、それによってイヤホン１８がユーザの耳から脱落するのを防止する。さらに、イヤホン１８への内圧は、イヤホン１８とユーザの外耳道との間にシールを形成して、周囲のノイズがイヤホン１８によって発せられている音と干渉するのを防止する。メッシュカバー８は、活動している間のユーザの耳に空気循環を可能にし、それによってユーザの耳の外側部分に汗が集まるのを防止する。
【００２４】
本発明の好適な実施形態が示されているが、それらは、本明細書で説明及び図示されている部分の特定の形態又は配置に限定されるべきではないことを理解されたい。当業者であれば、本発明の範囲から逸脱することなく様々な変更を行うことができ、本発明が本明細書及び図面において図示及び説明されているものに限定されるとみなされるべきではないことは明らかであろう。
【００２５】
好適な実施形態を説明する目的のため、図面中で番号付けられたアクセサリに関して使用される用語は以下のとおりである。
【符号の説明】
【００２６】
１  イヤホンスタビライザ
２  Ｃ字形バンド
３  Ｃ字形バンドの内面
４  Ｃ字形バンドの外面
５  Ｃ字形バンドの右側端部
６  Ｃ字形バンドの左側端部
７Ａ  右側イヤカバー
７Ｂ  左側イヤカバー
８  イヤカバーのメッシュカバー
９  イヤカバーの開口部
１０  イヤカバーの湾曲フレーム
１１  イヤカバーの外面
１２  イヤカバーの内面
１３  メッシュカバーの内部面
１４  Ｃ字形バンドの右部分
１５  Ｃ字形バンドの左部分
１６  摺動カップリング
１７  旋回カップリング
１８  イヤホン
【図１】
2020527869.tif 000004
【図２】
2020527869.tif 000005
【図３】
2020527869.tif 000006
【図４】
2020527869.tif 000007
【国際調査報告】
2020527869.tif 000008